(57)【要約】【課題】灯油等を燃料とした温風暖房機において、電気ヒータ等の電気通電による加熱暖房手段を付加し、使い勝手の向上を図り、快適性の高い暖房機の実現を目的としたものである。【解決手段】気化部２６からの気化ガスを燃焼させる燃焼部２９と、送風手段３１からの空気流と燃焼部２９からの高温ガスを混合し温風として排出する温風吹出口３３と、電気通電により温風を発生する加熱暖房手段３６と、運転条件等を設定する操作部３７と、操作部３７で設定された条件に基づいて制御する制御部４１とを備え、前記制御部４１は気化ヒータ４３と加熱暖房手段３６が同時に通電されるとき、気化ヒータ４３の通電量と加熱暖房手段３６の通電量が所定量を超えないように通電量を制限する通電制御部４４を有する構成としてある。【選択図】  図１
2004286337.tif 000002
【特許請求の範囲】
【請求項１】
燃料を気化する気化部を加熱する気化ヒータと、燃料気化ガスを燃焼させる燃焼部と、空気流を供給する送風手段と、送風手段からの空気流と燃焼部からの高温ガスを混合あるいは熱交換して温風として排出する温風吹出口と、高温ガスによる温風とは別に電気通電により温風を発生する加熱暖房手段と、運転条件等を設定する操作部と、操作部で設定された条件に基づいて機器の燃焼部等を制御する制御部とを備え、前記制御部は、気化部を加熱するヒータと電気通電による加熱手段が同時に通電されるとき、ヒータの通電量と加熱手段の通電量が所定量を超えないように、気化ヒータの通電量と加熱暖房手段の通電量のどちらか一方あるいは両方の通電量を制限する通電制御部を有する暖房装置。
【請求項２】
機器の上部に循環流排出口を配設し、加熱暖房手段が作動しているとき、吸引した室内空気を前記循環流排出口より機器の前方上方に排出して循環流を生じさせる循環送風手段を配設してなる請求項１記載の暖房装置。
【請求項３】
電気通電による加熱暖房手段は、循環流排出口の下部に位置させ、加熱暖房手段からの熱の一部あるいは全部を循環送風手段の室内空気流の流れで循環させるようにしてなる請求項１または２記載の暖房装置。
【請求項４】
制御部は、気化部を加熱する気化ヒータと電気通電による加熱手段が同時に通電しないように、気化ヒータと加熱暖房手段の通電が重なったとき、気化ヒータと加熱暖房手段の通電を交互に通電するようにした通電制御部を有する請求項１〜３のいずれか１項記載の暖房装置。
【発明の詳細な説明】
【０００１】
【発明の属する技術分野】
本発明は、温風暖房と電気暖房を用いた暖房装置に関するものである。
【０００２】
【従来の技術】
従来この種の暖房装置は図５示すように、タンク１にカートリッジタンク２から燃料が供給され、同タンク１の燃料はポンプ３によって燃焼時において所定温度以上に保たれた気化部４に供給される。そして燃料は、この高温に保たれた気化部４で気化されて気化ガスとなり、燃焼部５へ供給され、そこで燃焼される。生じた高温の燃焼排気ガスは、燃焼部５の周囲を覆うように配設された燃焼筒６で上方へ導かれ、上記燃焼筒６を覆ったダクト７内で送風手段８からの室内空気流と混合され、温風として前方へ排出されて暖房に利用される（特許文献１参照）。
【０００３】
【特許文献１】
特開平１０−２６１２号公報
【０００４】
【発明が解決しようとする課題】
しかしながら上記従来の構成においては、燃料を気化する気化部４は安定した燃料の気化を得るために所定温度以上に保持しなくてはならず、燃焼部５の燃焼開始に立ち上がり時間を要するもので、暖房開始までに時間がかかり、その間使用者は暖房を我慢しなければならない、また燃料を必要とするので油切れの心配があり、例えば、夜間に油切れすると暗くて寒い場所での給油となるため大変であり暖房したいけど給油が面倒になる等、使い勝手が悪いという課題があった。
【０００５】
さらに、暖房機を長時間使用した場合、室内の空気を使って燃焼部５の燃焼を継続することになり密閉した室内では酸素が消費され、酸素濃度が低くなる即ち酸欠状態となり、燃焼部５の燃焼条件が悪化して燃焼排ガス特性が悪くなったり、燃焼部５で生じた燃焼排ガスが室内に排出されるので、長時間使用すると室内空気の汚染する心配があった。そのため、使用者に注意を促すため、所定時間毎に延長操作をしないと運転停止するようになっていて、夜間の就寝時に暖房が停止して、室温が下がり寒くなるなど、やはり、使い勝手が悪いという課題があった。
【０００６】
そこで、燃料の燃焼熱にたよらない電気ヒータ等の電気通電による加熱暖房手段だけで部屋全体を暖房しようとすると、電気容量の関係で加熱暖房手段の能力を大きいものとすることができず室内全体を暖房する能力がなく、また灯油等の燃料を燃焼させる方式のものに比べ電気通電方式はランニングコストが高くつくという課題があった。
【０００７】
本発明は上記課題を解決したもので、灯油等を燃料とたし温風暖房機において、電気ヒータ等の電気通電による加熱暖房手段を付加し、相乗効果で使い勝手の向上を図り、快適性の高い暖房機の実現を目的としたものである。
【０００８】
【課題を解決するための手段】
本発明は上記課題を解決するため、燃料を気化する気化部を加熱する気化ヒータと、燃料気化ガスを燃焼させる燃焼部と、空気流を供給する送風手段と、送風手段からの空気流と燃焼部からの高温ガスを混合あるいは熱交換して温風として排出する温風吹出口と、高温ガスによる温風とは別に電気通電により温風を発生する加熱暖房手段と、運転条件等を設定する操作部と、操作部で設定された条件に基づいて機器の燃焼部等を制御する制御部とを備え、前記制御部は、気化部を加熱するヒータと電気通電による加熱手段が同時に通電されるとき、ヒータの通電量と加熱手段の通電量が所定量を超えないように、気化ヒータの通電量と加熱暖房手段の通電量のどちらか一方あるいは両方の通電量を制限する通電制御部を有する構成としてある。
【０００９】
上記発明によれば、電気通電による加熱暖房手段を配設してあるので、暖房開始時に電気通電による加熱暖房手段を作動させることによって、燃焼部の燃焼開始に立ち上がり時間中も部屋全体の暖房には不十分ながらも局部暖房により使用者は採暖でき、また油切れした場合においても、電気通電による加熱暖房手段を作動させることによって、当面の暖房が可能となり、例えば夜間に油切れしても、翌日に給油を延期して電気ヒータで暖房でしのぐことができるなど、使い勝手が増す。
【００１０】
また、夜間の就寝時に燃焼による暖房から電気通電による加熱暖房手段の暖房に切り替えることで、室内の空気を汚染することなく長時間暖房することができ、夜間の就寝時に暖房が停止して、室温が下がり寒くなるなどの心配が無くなり、安全性が増すと同時に、やはり、使い勝手が大幅に増す。
【００１１】
ここで、部屋の暖房について言及すると、暖房開始時は部屋の空気を暖める分と、家具などや天井、床や壁などを暖めるのに必要な部屋の熱容量の分と、そして部屋の周囲に熱が逃げる分を補う分が必要なため、部屋全体を充分暖めるのには大きな暖房能力が必要となり、特に部屋にある家具などや天井、床や壁などを暖めるには大きな暖房能力が必要で、この上述の暖房能力に暖房機の暖房能力が足らないと、いつまでたっても部屋が暖まらない。
【００１２】
しかしながら、一端部屋が暖まるとあとは部屋の周囲に熱が逃げる分だけでよいので、小さな暖房能力で充分であり、つまり、部屋を充分暖めておけば、燃料の燃焼熱にたよらない電気ヒータ等の電気通電による加熱暖房手段だけでも、部屋の暖房は出来るようになり、特に、部屋が充分暖まった夜間の就寝時は使用者が布団などを用いるので、さらに暖房能力を下げて使用でき、上述の夜間に油切れ時の使用や就寝時の使用に、電気ヒータ等の電気通電による加熱暖房手段が有効となり、使い勝手が増す。
【００１３】
そして、制御部は、気化部を加熱する気化ヒータと電気通電による加熱暖房手段が同時に通電されるとき、気化ヒータの通電量と加熱暖房手段の通電量が所定量を超えないように、気化ヒータの通電量と加熱暖房手段の通電量のどちらか一方あるいは両方の通電量を制限する通電制御部を有する構成としてあるので、気化部を加熱する気化ヒータと電気通電による加熱暖房手段が同時に通電されても、最大の通電量が制限できるようになる。
【００１４】
つまり、機器の最大電気容量を下げる効果が得られ、電気容量を小さい設定にでき、例えば電源コードなどの電気部品を低い電気容量に設定することができき、電気容量の大きなものとする必要が無くなり、電気容量が大きくなることに対する安全率のマージンを大きくすることができるとともに、構成の簡素化と低安価を実現することができる。
【００１５】
【発明の実施の形態】
請求項１記載の暖房装置は、燃料を気化する気化部を加熱する気化ヒータと、燃料気化ガスを燃焼させる燃焼部と、空気流を供給する送風手段と、送風手段からの空気流と燃焼部からの高温ガスを混合あるいは熱交換して温風として排出する温風吹出口と、高温ガスによる温風とは別に電気通電により温風を発生する加熱暖房手段と、運転条件等を設定する操作部と、操作部で設定された条件に基づいて機器の燃焼部等を制御する制御部とを備え、前記制御部は、気化部を加熱するヒータと電気通電による加熱手段が同時に通電されるとき、ヒータの通電量と加熱手段の通電量が所定量を超えないように、気化ヒータの通電量と加熱暖房手段の通電量のどちらか一方あるいは両方の通電量を制限する通電制御部を有する構成としてある。
【００１６】
そして、電気通電による加熱暖房手段を配設してあるので、暖房開始時に電気通電による加熱暖房手段を作動させることによって、燃焼部の燃焼開始に立ち上がり時間中も部屋全体の暖房には不十分ながらも局部暖房により使用者は採暖でき、また油切れ時の使い勝手も大幅に向上する。
【００１７】
また、夜間の就寝時に燃焼による暖房から電気通電による加熱暖房手段の暖房に切り替えることで、室内の空気を汚染することなく長時間暖房することができ、夜間の就寝時に暖房が停止して、室温が下がり寒くなるなどの心配が無くなり、安全性が増すと同時に使い勝手が大幅に増す。
【００１８】
そして、制御部は、気化部を加熱する気化ヒータと電気通電による加熱暖房手段が同時に通電されるとき、気化ヒータの通電量と加熱暖房手段の通電量が所定量を超えないように、気化ヒータの通電量と加熱暖房手段の通電量のどちらか一方あるいは両方の通電量を制限する通電制御部を有する構成としてあるので、気化部を加熱する気化ヒータと電気通電による加熱暖房手段が同時に通電されても、最大の通電量が制限できるようになる。
【００１９】
請求項２記載の暖房装置は、機器の上部に循環流排出口を配設し、加熱暖房手段が作動しているとき、吸引した室内空気を前記循環流排出口より機器の前方上方に排出して循環流を生じさせる循環送風手段を配設した構成としてある。
【００２０】
そして、機器の上部に位置させ室内の空気を吸引し機器の前方上方に循環流排出口より排出して空気流を生じさせる循環送風手段を配設しあるので、室内の空気が循環して部屋全体の空気が混ざり合い、輻射のみの暖房に比べ、部屋全体温度がほぼ均一となり暖房感が大幅に向上する。
【００２１】
さらに、循環流も機器の上方に排出するようにしてあるので、機器の上方に気流感があるだけで、機器の前方つまり使用者の居住空間には気流感がなく、気流による不快感を使用者が感じることがなくなり暖房感が向上する。
【００２２】
請求項３記載の暖房装置は、電気通電による加熱暖房手段は、循環流排出口の下部に位置させ、加熱暖房手段からの熱の一部あるいは全部を循環送風手段の室内空気流の流れで循環させるようにした構成としてある。
【００２３】
そして、電気通電による加熱暖房手段は、循環流排出口の下部に位置させ、加熱暖房手段からの熱の一部あるいは全部を循環送風手段の室内空気流の流れで循環させるようにしてあるので、加熱暖房手段からの熱は積極的に環送風手段の室内空気流の流れで循環して部屋全体の空気が混ざり合い、更に、部屋全体温度がほぼ均一となり暖房感が大幅に向上する。
【００２４】
請求項４記載の暖房装置は、制御部は気化部を加熱するヒータと電気通電による加熱手段が同時に通電しないように、ヒータと加熱手段の通電が重なったとき、ヒータと加熱手段の通電を交互に通電するようにした通電制御部を有する構成としてある。
【００２５】
そして、制御部は、気化部を加熱する気化ヒータと電気通電による加熱暖房手段が同時に通電しないように、気化ヒータと加熱暖房手段の通電が重なったとき、気化ヒータと加熱暖房手段の通電を交互に通電するようにした通電制御部を有するので、気化部を加熱する気化ヒータと電気通電による加熱暖房手段の通電が同時におこらず最大の通電量が、気化部を加熱する気化ヒータかあるいは電気通電による加熱暖房手段の通電量の大きい方となり、この通電量の大きい方に応じて、電源コードなどの電気部品の電気容量を設定すればよいこととなる。
【００２６】
つまり、請求項１と同様に機器の最大電気容量を下げる効果が得られ、気化部を加熱する気化ヒータかあるいは電気通電による加熱暖房手段のどちらか一方の通電となるため、電気容量のさほど大きいものとする必要が無くなり、電気容量が大きくなることに対する安全率のマージンを大きくすることができるとともに構成を簡単とすることができ、安価にすることができる。
【００２７】
【実施例】
以下、本発明の実施例について図面を用いて説明する。
【００２８】
（実施例１）
図１は本発明の実施例１の暖房装置の断面図、図２は燃焼部の断面図、図３は制御ブロック図である。
【００２９】
図１、図２において、２１は本体ケースで、その下方側部に液体燃料を保有するタンク２２と、そのタンク２２上部に着脱自在なカートリッジタンク２３が配設してある。２４はタンク２２の上面に取付けたポンプで、その上端から送油パイプ２５を介して気化部２６に燃料を供給するようになっている。２７は、気化部２６で気化された燃料ガスを水平方向に噴出するノズル部で、このノズル部２７から噴出された気化燃料は、エジェクタ効果により一次空気を吸引しながら気化部２６の下流側に離れて設けた混合管２８内に噴出されここで混合して、燃焼部２９に供給され、そこで燃焼される。燃焼部２９は、生じた燃焼ガスを上方へ導くように配設した燃焼筒３０で覆われ、また燃焼筒３０の背部には室内空気流を取入れ送出する送風手段３１が配設してある。３２は上記燃焼筒３０からの高温ガスと送風手段３１からの室内空気流を混合して温風にするダクトで、この温風は温風吹出口３３より排出され暖房に利用される。
【００３０】
３４は、機器の上部に位置させ室内の空気を吸引し機器の前方上方に循環流排出口３５より排出して空気流を生じさせる循環流送風手段で、部屋の空気の循環流を形成するようにしてある。
【００３１】
３６は、循環流排出口３５の下部に位置させて設けた電気通電による加熱暖房手段の電気ヒータで、コイル状に巻いた電熱線の周囲に石英管ガラスが配設してあり、この電熱線に通電することにより電熱線を高温に加熱し、発生した熱は石英管ガラスを介して輻射熱と周囲の空気を暖めようになっている。
【００３２】
つぎに、図３を用いて操作部と制御部について説明すると、３７は機器の運転条件を設定する操作部で、燃焼部で燃焼をさせて暖房運転を開始・停止させる燃焼運転スイッチ３８と、電気ヒータ３６をｏｎ・ｏｆｆさせる電気ヒータ運転スイッチ３９と、暖房能力を設定する温度設定手段４０等を有している。
【００３３】
４１は制御部で、送風手段３１の吸い込み口に配設し部屋の代表温度として温度検出する温度検出手段４２で検知した室温や操作部３７で設定された運転条件等に基づいて燃料を気化させる気化部２６を加熱する気化ヒータ４３や、電気通電による加熱暖房手段の電気ヒータ３６や、送風手段３１そして循環流送風手段３４等をあらかじめ決められたシーケンスで制御するようになっている。
【００３４】
また、制御部４１には、気化部２６を加熱する気化ヒータ４３と電気ヒータ３６の通電をコントロールする通電制御部４４が配設してある。
【００３５】
そしてまた、電気通電による加熱暖房手段の電気ヒータ３６の暖房能力は最大燃焼時の燃焼部で生じる熱による暖房能力のおよそ１／２とあり、例えば、最大燃焼時の燃焼部で生じる熱による暖房能力を２．５ｋｗ、電気ヒータ３６の暖房能力を１．２ｋｗとしてあり、機器７の最大電気容量はこの電気ヒータ３６に気化部を加熱する気化ヒータ４３や送風手段３１などで使用される分の合計となっている。
【００３６】
上記構成において、カートリッジタンク２３から一定油面を保つようにタンク２２に供給されている液体燃料は、ポンプ２４によってタンク２２から吸い上げられ、送油パイプ２５を介して気化部２６に送られる。送られた燃料は気化ヒータ４３で所定温度以上に保たれた気化部２６内で気化し、高圧の気化ガスとなってノズル部２７から噴出され、その際エジェクタ効果により一次空気を吸引しながら気化部２６の下流側に設けた混合管２８内で混合されて燃焼部２９内に供給され、燃焼部２９の炎孔から噴出する。
【００３７】
この燃焼部２９の炎孔から噴出噴出する燃料と空気の混合ガスに着火手段（図示せず）により燃焼部２９の炎孔に火炎を形成して燃焼を開始し、着火手段を停止してもこのままポンプ２４で気化部２６に燃料を供給し続けると燃焼を継続するようになる。そして生じた高温の燃焼排気ガスは燃焼筒３０の上方へ流れてゆき、ダクト３２内で送風手段３１からの室内空気流と混合され、温風として排出されて暖房に利用される。
【００３８】
また、循環流送風手段３４からの空気流は、循環流排出口３５より機器の前方上方へ排出され、部屋の空気の循環流を形成するようにしてある。
【００３９】
そして、制御部４３は、温度検出手段４２で検知した室温や操作部３７で設定された温度設定手段４０等の運転条件等に基づいて送風手段３１や循環流送風手段や電気通電による加熱暖房手段の電気ヒータ２９をあらかじめ決められたシーケンスで制御するようになっている。
【００４０】
なお、使用者が燃焼運転スイッチ３８や電気ヒータ運転スイッチ３９や温度設定手段４０等を操作して、室温や暖房能力を設定する温度設定手段４０で設定された設定温度など操作部３７で設定された運転条件等に基づいて温風暖房か電気ヒータ２９による暖房かを自動的に切り替えるようにしてもよく、手動でそれぞれの暖房モ−ドに切り替えられるようにしてもよく、また、温風暖房と電気ヒータ３６による暖房を同時に行うようにしてもよく、どのように燃焼による温風暖房と電気ヒータ３６による暖房を組み合わせてもよいものである。
【００４１】
そして、制御部４１の通電制御部４４は、気化部２６を加熱する気化ヒータ４３と電気ヒータ３６が同時に通電しないように、気化ヒータ４３と電気ヒータ３６の通電が重なったとき、例えば燃焼運転スイッチ３８と電気ヒータ運転スイッチ３９が同時に押されたなど気化部２６の温度が充分に温度上昇していない燃焼開始時に電気ヒータ３６がｏｎされた場合に、気化ヒータ４３と電気ヒータ３６への交互に通電をするようにコントロールするようになっている。
【００４２】
ここで、電気通電による加熱暖房手段の電気ヒータ３６を配設してあるので、暖房開始時に電気ヒータ３６を通電することによって、燃焼部の燃焼開始に立ち上がり時間中も部屋全体の暖房には不十分ながらも暖房をすることができ、使用者は手を電気ヒータ３６に翳すことで採暖でき、また、油切れした場合においても、電気ヒータ３６を通電することによって、当座の暖房ができ、例えば夜間に油切れしても、翌日に給油を延期して電気ヒータで暖房でしのぐことができるなど、使い勝手が増す。
【００４３】
さらに、夜間の就寝時に燃焼による暖房から電気ヒータ３６の暖房に切り替えることで、室内の空気を汚染することなく長時間暖房することができ、夜間の就寝時に暖房が停止して、室温が下がり寒くなるなどの心配が無くなり、安全性が増すと同時に、やはり、使い勝手が大幅に増す。
【００４４】
ここで、部屋の暖房について言及すると、暖房開始時は部屋の空気を暖める分と、家具などや天井・床や壁など暖めるのに必要な部屋の熱容量の分と、そして部屋の周囲に熱が逃げる分を補う分が必要なため、部屋全体を充分暖めるのには大きな暖房能力が必要となり、特に部屋にある家具などや天井・床や壁などを暖めるには大きな暖房能力が必要で、この上述の暖房能力に暖房機の暖房能力が足らないと、いつまでたっても部屋が暖まらない。
【００４５】
しかしながら、暖房機の暖房能力は一端部屋が暖まるとあとは部屋の周囲に熱が逃げる分だけでよいので、小さな暖房能力で充分であり、つまり、部屋を充分暖めておけば、燃料の燃焼熱にたよらない電気通電による加熱暖房手段例えば電気ヒータ３６だけでも、部屋の暖房は出来るようになり、特に、部屋が充分暖まった夜間の就寝時は使用者が布団などを用いるので、さらに暖房能力を下げて使用でき、上述の夜間に油切れ時の使用や就寝時の使用に、電気ヒータ３６が有効となり、使い勝手が増す。
【００４６】
さらに、電気ヒータ３６のみの運転を長時間継続すると、室内の暖かい空気が天井に上がり、暖房感が劣化する心配があるが、循環流送風手段３４の空気流で部屋の空気の循環流を形成してあるので、室内の空気が循環して部屋全体の空気が混ざり合い、電気ヒータ３６だけの暖房に比べ部屋全体温度がほぼ均一となり暖房感が大幅に向上する。
【００４７】
そしてまた、電気ヒータ３６によって生じる熱は、その内の約２５％が輻射エネルギーとして輻射され、また残りは周囲の空気を暖め上昇して対流によって暖めるが、電気ヒータ３６は、循環流排出口３５の下部に位置させ、電気ヒータ３６からの熱の一部を循環流送風手段３４の空気流の流れで循環させるようにしてあるので、電気ヒータ３６からの熱は積極的に循環流送風手段３４空気流の流れで循環してますます部屋全体の空気が混ざり合い、部屋全体温度がほぼ均一となり暖房感が大幅に向上する。
【００４８】
さらに、制御部４１は、気化部２６を加熱する気化ヒータ４３と電気ヒータ３６を同時に通電出来ないように交互に通電するようにした通電制御部４４を有するので、気化ヒータ４３と電気ヒータ３６の通電が同時におこらず、最大の電気容量が、電気ヒータ３６の電気容量に気化ヒータ４３の電気容量を除いた送風手段３１などの比較的電気容量の少ないものの電気容量を加えたものとなり、電源コードなどの電気部品の電気容量を低く設定することが出来る。例えば該機器の最大の電気容量は、電気ヒータ３６の電気容量１．２ｋｗに気化ヒータ４３の電気容量０．６ｋｗを除いた送風手段３１などの比較的電気容量の少ないものの電気容量３０ｗを加えたもの合計１．２３ｋｗとなり、これは気化ヒータ４３の電気容量０．６ｋｗを加えたもの合計１．８３ｋｗに比べ約６７％の電気容量ですむようになる。
【００４９】
つまり、気化ヒータ４３かあるいは電気ヒータ３６のどちらか一方の通電となるため、電気容量のさほど大きいものとする必要が無くなり、電気容量が大きくなることに対する安全率のマージンを大きくすることができるとともに構成を簡単とすることが出来、安価にすることができる。
【００５０】
そして、電気ヒータ３６の暖房能力は、最大燃焼時の燃焼部２９で生じる熱による暖房能力のおよそ１／２とあり、例えば、最大燃焼時の燃焼部２９で生じる熱による暖房能力を２．５ｋｗ、電気ヒータ３６の暖房能力を１．２ｋｗとしてあるので、まず燃焼による暖房で部屋が十分に暖まった状態から、電気ヒータ３６の暖房に切り替えても、部屋を暖めすぎることはなく、部屋に適した暖房をすることが出来、省エネルギー化を図ることが出来る。
【００５１】
ここで、「（社）日本ガス石油機器工業会の統一基準による暖房の目やす」で云われている暖房適室の基準値は、定常値の暖房負荷値に、暖房開始時の立上り時間及び厳寒時の余力を勘案して２倍にして算出されている。そして、この暖房適室から考察すると、部屋が十分に暖まったときに必要な暖房能力は、暖房開始時の立上り時間及び厳寒時の余力を勘案しなくてよいので、最大燃焼時の燃焼部２９で生じる熱による暖房能力のおよそ１／２あるいはそれ以下でよいこととなる。
【００５２】
特に部屋が充分暖まった夜間の就寝時は使用者が布団などを用いるので、さらに暖房能力を下げて使用するようになり、機器の暖房能力は小さくてすみ、即ち、電気ヒータ３６の暖房能力を燃焼部２９で生じる熱による暖房能力のおよそ１／２あるいはそれ以下とすることで、部屋に適した暖房をすることが出来、省エネルギー化を図ることが出来るようになる。
【００５３】
（実施例２）
図４は本発明の実施例２の暖房装置のフローチャート図である。
【００５４】
通電制御部４４は、気化ヒータ４３と電気ヒータ３６が同時に通電されるとき、気化ヒータ４３の通電量と電気ヒータ３６の通電量が所定量を超えないように、電気ヒータ３６の通電量を制限するようにしてある。
【００５５】
そして、通電制御部４４は、気化ヒータ４３と電気ヒータ３６が同時に通電されるとき、例えば燃焼運転スイッチ３８と電気ヒータ運転スイッチ３９が同時に押されたときなど燃焼開始時に電気ヒータ３６がｏｎされた場合に、気化ヒータ４３の通電量と電気ヒータ３６の通電量の合計が所定量を超えないように、電気ヒータ３６の通電量を制限するようにしてあるので、気化ヒータ４３と電気ヒータ３６が同時に通電されても、最大の電気容量が制限できるようになる。
【００５６】
例えば、気化ヒータ４３と電気ヒータ３６が同時に通電されるとき、該機器の最大の電気容量は、電気ヒータ３６の通電量１．２ｋｗを半分に制限した０．６ｋｗに制限し気化ヒータ４３の電気容量０．６ｋｗと送風手段３１などの比較的電気容量の少ないものの電気容量３２ｗを加えたもの合計１．２３ｋｗとなり、これは電気ヒータ３６の通電を制限しない場合の合計１．８３ｋｗにと比べ約６７％の電気容量ですみ、電源コードなどの電気部品の電気容量を低く設定することが出来る。
【００５７】
つまり、実施例１の電気容量を下げると同様の効果が得られ、電気容量を小さい設定に出来、例えば電源コードなどの電気部品を低い電気容量に設定することが出来、電気容量の大きなものとする必要が無くなり、電気容量が大きくなることに対する安全率のマージンを大きくすることができるとともに構成を簡単とすることが出来、安価にすることができる。
【００５８】
また、気化ヒータ４３と電気ヒータ３６の通電が重なったとき、気化ヒータ４３と電気ヒータ３６の通電を交互に通電するなど比較的電気容量の大きい気化ヒータ４３と電気ヒータ３６の通電を間欠にすると、通電によって生じる電源電圧低下が、通電のｏｎとｏｆｆによって、生じたり生じなかったりして、つまり小刻みな電源電圧の変動をするようになるので、例えば同じコンセントからとっている電灯などはその明るさが変化しちらついたりする心配を生じる。
【００５９】
しかしながら、通電制御部４４は気化ヒータ４３の通電量と電気ヒータ３６の通電量が所定量を超えないように、気化ヒータ４３の通電量と電気ヒータ３６の通電量のどちらか一方あるいは両方の通電量を制限するようにしてあるので、気化ヒータ４３と電気ヒータ３６の通電を交互に通電するために生じる通電のｏｎとｏｆｆがないため、小刻みな電源電圧の変動がなく、例えば電球などはその明るさが変化しちらついたりする心配がなくなり、使い勝手が増すようになる。
【００６０】
なお上記実施例１では、気化ヒータ４３と電気ヒータ３６が同時に通電しないように、気化ヒータ４３と電気ヒータ３６の通電が重なったとき、気化ヒータ４３と電気ヒータ３６への通電を交互にする構成で説明したがこれは気化ヒータ４３と電気ヒータ３６の通電時間割合を変えて例えば気化ヒータ４３の通電時間を０．５秒、電気ヒータ３６の通電時間を０．２秒間としたり、はじめは電気ヒータ３６の通電時間を気化ヒータ４３の通電時間より長くして徐々に逆転させたり、その通電バランスを変化させてもよい。また、実施例２では、気化ヒータ４３と電気ヒータ３６が同時に通電されるとき、気化ヒータ４３の通電量と電気ヒータ３６の通電量が所定量を超えないように、電気ヒータ３６の通電量を制限する構成で説明したが、これは気化ヒータ４３の通電量と電気ヒータ３６の通電量どちらか一方あるいは両方とも制限してもよく、その他各部の構成も本発明の目的を達成する範囲であればその構成はどのようなものであってもよい。
【００６１】
【発明の効果】
以上説明したように本発明の暖房装置によれば、電気通電による加熱暖房手段を配設してあるので、暖房開始時に電気通電による加熱暖房手段を作動させることによって、燃焼部の燃焼開始に立ち上がり時間中も部屋全体の暖房には不十分ながらも局部暖房により使用者は採暖でき、また油切れ時の使い勝手も大幅に向上する。
【００６２】
また、夜間の就寝時に燃焼による暖房から電気通電による加熱暖房手段の暖房に切り替えることで、室内の空気を汚染することなく長時間暖房することができ、夜間の就寝時に暖房が停止して、室温が下がり寒くなるなどの心配が無くなり、安全性が増すと同時に使い勝手が大幅に増す。
【００６３】
そして、制御部は、気化部を加熱する気化ヒータと電気通電による加熱暖房手段が同時に通電されるとき、気化ヒータの通電量と加熱暖房手段の通電量が所定量を超えないように、気化ヒータの通電量と加熱暖房手段の通電量のどちらか一方あるいは両方の通電量を制限する通電制御部を有する構成としてあるので、気化部を加熱する気化ヒータと電気通電による加熱暖房手段が同時に通電されても、最大の通電量が制限できるようになる。
【図面の簡単な説明】
【図１】本発明の実施例１の暖房装置の断面図
【図２】同暖房装置の燃焼部断面図
【図３】同暖房装置の制御ブロック図
【図４】本発明の実施例２における暖房装置のフローチャート
【図５】従来の暖房装置の断面図
【符号の説明】
２６  気化部
２９  燃焼部
３１  送風手段
３３  温風吹出口
３４  循環流送風手段
３５  循環流排出口
３６  電気ヒータ（加熱暖房手段）
３７  操作部
４１  制御部
４３  気化ヒータ
４４  通電制御部
］
【図１】
2004286337.tif 000003
【図２】
2004286337.tif 000004
【図３】
2004286337.tif 000005
【図４】
2004286337.tif 000006
【図５】
2004286337.tif 000007